(57)【特許請求の範囲】
【請求項１】
吐出口から温水を吐出させる温水吐水装置であって、
前記吐出口と連通する温水源と、
前記吐出口と連通し、前記温水源からの温水を貯留する断熱構造の温水タンクと、
前記温水源と前記吐出口との間に設けられて、前記温水源で生成された温水の供給先を、前記吐出口あるいは前記温水タンクのいずれか一方に切り替える温水切替弁と、
前記温水タンクに貯留された温水を前記吐出口から吐出させるポンプと、
を含み、
前記ポンプは、前記吐出口から吐出される温水に空気を混合するエアポンプであり、
前記エアポンプと前記吐出口との間に設けられて、前記エアポンプで生成されたエアの供給先を、前記吐出口あるいは前記温水タンクのいずれか一方に切り替えるエア切替弁をさらに含むことを特徴とする温水吐水装置。
【請求項２】
前記温水源からの温水を前記吐出口から直接吐出させる場合は、前記エア切替弁により前記エアの供給先を前記吐出口とし、前記エアポンプを駆動してから、前記温水源からの温水の吐出を開始し、
前記温水源からの温水の吐出を終了させる場合は、前記温水源からの温水の吐出を終了してから、前記エアポンプの駆動を停止する請求項１に記載の温水吐水装置。
【請求項３】
前記温水タンクに貯留されている温水を排水する場合は、
前記エア切替弁により、前記エアの供給先を前記温水タンクとし、前記エアポンプを駆動する請求項１または２に記載の温水吐水装置。
【発明の詳細な説明】
【技術分野】
【０００１】
本発明は、温水使用時に温水を生成して吐出口から吐出する方式の温水洗浄便座や手洗い装置等の温水吐水装置に関する。
【背景技術】
【０００２】
ノズルや蛇口等の吐出口から温水を吐出する温水吐水装置がある。この種の温水吐水装置としては、例えば、洋風便器に設置されて、洗浄ノズルから温水を吐出させて人体の局部を洗浄する温水洗浄装置や、洗面台に設けられている手洗い装置などが知られている。このような温水吐水装置は、大量の温水を常時必要とせず、比較的少量の温水を瞬時に提供することが要望されている。
【０００３】
ここで、温水を生成する方法としては、温水タンク貯湯方式がある。温水タンク貯湯方式は、貯湯タンクに温水を貯留するとともに、常時ヒータに通電して温水を保温する方式である。温水タンク貯湯方式は、ユーザーの使用要求に対して温水の流量を十分に確保できるが、常に温水を供給できるように所定の水温を保持した状態で待機している。このため、常時ヒータに通電している必要があることから、消費電力が増加するという問題がある。また、温水タンク貯湯方式は、温水タンク内の温水を使い切ってしまうと、湯切れが発生してしまう。
【０００４】
また、瞬間湯沸かし方式もある。瞬間湯沸かし方式は、使用するとき、すなわち通水が発生するときのみ水を昇温させて温水を生成するものである。瞬間湯沸かし方式は、通水が発生するときのみ湯沸かしするので、消費電力を低減できるとともに、連続して温水を吐出できるので、湯切れも発生せず、また、使用者に待たせる感覚を抱かせることもほとんどない。しかし、瞬間湯沸かし方式は、湯沸かし器の性能から、吐出口から吐出できる温水の流量に制限があり、流量を確保することが困難であるという問題がある。
【０００５】
従来では、温水タンク貯湯方式および瞬間湯沸かし方式の両方の機能を合わせた温水吐水装置が種々提案されている。例えば、特許文献１は、給湯器により生成された温水を温水混合水栓から吐出するものであり、給湯器により温水が湯水混合水栓から吐出されるようになるまで、保温タンクのヒータにより保温されていた温水を湯水混合水栓から吐出するものである。また、特許文献２は、給水源からの水を貯湯加熱部により昇温・保温する湯タンクと、給水源からの水を瞬間的に昇温する瞬間加熱部とを備え、湯タンクに貯留されている温水、あるいは瞬間加熱部により生成された温水のいずれかを吐出口から吐出するものである。また、瞬間湯沸かし方式を用いた温水吐水装置では、特許文献３，４に示すように、温水に空気を混合して吐出口から吐出させるものがある。これは、吐出口から吐出できる温水の流量に制限があっても、ユーザーに実際の流量以上の流量の温水が吐出口から吐出されているように感じさせることができる技術である。
【先行技術文献】
【特許文献】
【０００６】
【特許文献１】特開２００２−２７５９６６号公報
【特許文献２】特開平７−２６８９３０号公報
【特許文献３】特開２００１−３２３４１号公報
【特許文献４】特開平９−１６８４８８号公報
【発明の概要】
【発明が解決しようとする課題】
【０００７】
しかしながら、上記従来の温水吐水装置では、ユーザーの要望に応じた吐出口から吐出できる温水の流量を確保することができるが、消費電力の低減は十分ではなかった。
【０００８】
本発明は、上記に鑑みてなされたものであって、吐出口から吐出できる温水の流量を確保しつつ消費電力の低減を実現できる温水吐水装置を提供することを目的とする。
【課題を解決するための手段】
【０００９】
上述した課題を解決し、目的を達成するために、本発明は、吐出口から温水を吐出させる温水吐水装置であって、前記吐出口と連通する温水源と、前記吐出口と連通し、前記温水源からの温水を貯留する断熱構造の温水タンクと、前記温水源と前記吐出口との間に設けられて、前記温水源で生成された温水の供給先を、前記吐出口あるいは前記温水タンクのいずれか一方に切り替える温水切替弁と、前記温水タンクに貯留された温水を前記吐出口から吐出させるポンプと、を含み、前記ポンプは、前記吐出口から吐出される温水に空気を混合するエアポンプであり、前記エアポンプと前記吐出口との間に設けられて、前記エアポンプで生成されたエアの供給先を、前記吐出口あるいは前記温水タンクのいずれか一方に切り替えるエア切替弁をさらに含むことを特徴とする。
【００１０】
上記温水吐水装置では、ユーザーの使用要求に応じて、温水源からの温水を吐出口から吐出することができるので、温水源から吐水口までの間で温水を保温しておく必要がない。また、上記の温水吐水装置では、温水タンクに温水が貯留される場合は、温水タンクの断熱構造により温度低下が抑制される。従って、温水源の温水を吐出口で吐出するまでの経路において、温度維持のために温水を加熱することはなく、消費電力を低減することができる。また、温水源からの温水を温水タンクに貯留し、貯留された温水をポンプにより吐出口から吐出することができるので、温水源からの温水の流量に依存することなく、ユーザーの使用要求に応じて温水源からの温水の流量以上の温水を吐出口から吐出することができる。これらのように、上記の温水吐水装置は、吐出口から吐出できる温水の流量を確保しつつ消費電力の低減を実現することができる。
また、上記温水吐水装置では、エアポンプで生成されたエアは、エア切替弁によりエアの供給先を吐出口とした場合に吐出口から直接吐出される温水源からの温水にエアを混入することができ、エアの供給先を温水タンクとした場合に温水タンク内の圧力を昇圧するので、温水タンクの温水を吐出口から吐出することができる。従って、１つのエアポンプにより、温水タンクに貯留された温水を吐出口から吐出させることができ、吐出口から吐出される温水にエアを混入させることができる。
【００１２】
また、上記温水吐水装置では、前記温水源からの温水を前記吐出口から直接吐出させる場合は、前記エア切替弁により前記エアの供給先を前記吐出口とし、前記エアポンプを駆動してから、前記温水源からの温水の吐出を開始し、前記温水源からの温水の吐出を終了させる場合は、前記温水源からの温水の吐出を終了してから、前記エアポンプの駆動を停止することが好ましい。上記温水吐水装置では、温水源からの温水を吐出口から直接吐出する場合に、常に温水にエアを混入させることができる。従って、ユーザーの使用開始時から実際の流量以上の流量の温水が吐出口から吐出されているようにユーザーに感じさせることができる。また、ユーザーの使用終了時に、エアにより吐出口近傍の温水が強制的に吐出されるので、ユーザーの使用終了後に吐出口から温水が漏れることを抑制することができる。
【００１３】
また、上記温水吐水装置では、前記温水タンクに貯留されている温水を排水する場合は、前記エア切替弁により、前記エアの供給先を前記温水タンクとし、前記エアポンプを駆動することが好ましい。上記温水吐水装置では、ユーザーの使用要求時に使用されなかった温水を排水し、ユーザーの新たな使用要求時に新たな温水を空の状態の温水タンクに貯留することができる。従って、ユーザーの使用要求に応じた温度よりも低下した温水が温水タンク内に貯留されたまま、新たな温水が温水タンクに貯留されることで温水タンクに貯留された温水の温度が低下することを抑制できるので、ユーザーの使用要求に応じた温度の温水を吐出口から吐出することができる。
【発明の効果】
【００１５】
本発明にかかる温水吐水装置は、吐出口から吐出できる温水の流量を確保しつつ消費電力の低減を実現できるという効果を奏する。
【図面の簡単な説明】
【００１６】
【図１】図１は、実施形態に係る温水吐水装置の概略図である。
【図２】図２は、本実施形態に係る温水吐水装置が適用されたトイレの全体構成図である。
【図３】図３は、本実施形態に係る温水吐水装置の制御の一例を示すフローチャートである。
【図４】図４は、エアポンプの駆動と温水の吐出との関係を示す図である。
【図５】図５は、温水タンクに設けられた水位検出センサを示す模式図である。
【発明を実施するための形態】
【００１７】
以下、この発明につき図面を参照しつつ詳細に説明する。なお、以下に説明する発明を実施するための形態（以下、実施形態という）により本発明が限定されるものではない。また、以下に開示する構成要素には、当業者が容易に想定できるもの、あるいは実質的に同一のものが含まれる。以下においては、人体の局部へ温水を噴射する温水洗浄装置に本発明を適用した例を説明するが、本発明の適用対象はこれに限定されるものではない。
【００１８】
本実施形態に係る温水吐水装置は、吐出口から温水を吐出させる温水吐水装置であって、温水源と温水タンクと温水切替弁とポンプとを備え、温水源からの温水の供給先を、温水切替弁によって吐出口または温水タンクのいずれか一方とする点に特徴がある。また、ポンプがエアポンプであり、エア切替弁をさらに備え、エアポンプからのエアの供給先を、エア切替弁によって吐出口または温水タンクのいずれか一方とする点に特徴がある。そして、本実施形態に係る温水吐水装置が吐出口から温水を吐出させる場合には、温水源で生成された温水を温水タンクへ貯留するとともに、温水タンクに所定量以上の温水が貯留されてから、エアポンプによって温水タンク内の温水を吐出口へ送り、吐出口から温水を吐出させる。また、温水が温水タンクに所定量以上貯留される前に吐出口から温水を吐出させる場合には、温水源から温水を直接吐出口へ吐出させる。
【００１９】
図１は、実施形態１に係る温水吐水装置の概略図である。温水吐水装置１は、洋式便器に取り付けられる温水洗浄装置であり、例えば、用便後における人体の局部へ温水を吐出させて洗浄するものである。温水吐水装置１は、温水源２と、温水タンク３と、エアポンプ４と、温水切替弁５と、エア切替弁６とを含んで構成されており、シャワーノズルに設けられた吐出口７から温水を吐出させる。さらに、本実施形態において、温水吐水装置１は、第１温水通路８と、第２温水通路９と、第１エア通路１０と、第２エア通路１１と、制御装置１２と、操作盤１３と、を備える。
【００２０】
温水源２は、温水を生成するものであり、吐出口７と連通するものである。実施の形態では、給水源２１と、水加熱器２２と、通水弁２３と、導水通路２４とを含んで構成されている。給水源２１は、給水管２５と、止水栓２６とを含んで構成されている。導水通路２４は、止水栓２６を介して給水管２５と接続される。ここで、給水管２５は、温水吐水装置１へ水を供給するものである。導水通路２４は、給水管２５から温水吐水装置１へ水を導く通路であり、止水栓２６が開かれると、給水管２５内の水が止水栓２６を通って導水通路２４内へ流入する。止水栓２６は、導水通路２４と給水管２５とが接続されると開かれて、温水吐水装置１の使用中は特段の事情がない限り開かれた状態で維持される。
【００２１】
導水通路２４には、通水弁２３が設けられる。通水弁２３は、制御装置１２によって動作が制御、すなわち開閉が制御される。これによって、通水弁２３は、導水通路２４を開閉する。温水吐水装置１が待機状態である場合、すなわち、吐出口７から温水を吐出させない場合には通水弁２３が閉じており、温水吐水装置１が吐出口７から温水を吐出させる場合には通水弁２３が開き、給水管２５からの水が導水通路２４を介して水加熱器２２へ供給される。なお、通水弁２３に流量調整機能を有するものを用いて、水加熱器２２へ供給される水の流量を調整してもよい。このようにすれば、通水弁２３によって吐出口７から吐出される温水の流量を調整できる。
【００２２】
水加熱器２２は、給水源、すなわち止水栓２６を介して給水管２５から供給される水を加熱して昇温させる。本実施形態において、水加熱器２２は、内部に加熱通路２７を備えるとともに、電気が通電されることによって発熱するヒータ２８が、加熱手段として加熱通路２７に近接して設けてある。加熱通路２７は、導水通路２４と接続されており、導水通路２４内の水が内部に導入される。ヒータ２８は、制御装置１２によって動作が制御、すなわち、通電の有無や通電量が制御される。
【００２３】
本実施形態において、ヒータ２８は発熱密度に優れた板状のセラミックヒータを用いるが、これに限定されるものではなく、例えば、シーズヒータやマイカヒータ等、様々な形式のヒータを用いることができる。本実施形態において、加熱通路２７は、ヒータ２８との接触面積を拡大するため、複数の折り返し部を有する往復の形状としてある。水加熱器２２が温水を生成する場合、通水弁２３が開かれて給水管２５からの水が導水通路２４を介して水加熱器２２の加熱通路２７へ導入されると、ヒータ２８に通電される。そして、ヒータ２８が通電されることにより生み出される熱によって加熱通路２７を流れる水を昇温させる。これによって、給水管２５から水加熱器２２へ供給される水は、水加熱器２２の加熱通路２７を通過する過程で昇温する。このようにして、水加熱器２２は加熱通路２７の入口から出口の間で水を昇温させることにより、温水を連続して生成する。
【００２４】
なお、本実施形態においては、加熱通路２７の下流側に、吐出温度検知手段としてのサーミスタ２９が設けられる。サーミスタ２９の出力は制御装置１２に入力される。そして、制御装置１２は、サーミスタ２９が検出した温度に基づき、水加熱器２２が吐出する温水の温度と所定の目標温度との偏差が０になるように、水加熱器２２が有するヒータ２８へ供給する電力を制御する。なお、サーミスタ２９は必ずしも設ける必要はない。この場合、制御装置１２は、例えば、水温や気温に応じてヒータ２８の加熱量を制御するようにしてもよい。
【００２５】
水加熱器２２の吐出口、すなわち水加熱器２２が有する加熱通路２７の出口２７ｅと吐出口７とは、第１温水通路８で連結されている。水加熱器２２によって生成され、吐出された温水は、第１温水通路８を通って吐出口７から吐出される。本実施形態において、温水吐水装置１は温水洗浄装置なので、吐出口７は、シャワーノズルの先端近傍に設けられている。温水吐水装置１を手洗い装置に適用する場合、吐出口７は蛇口となる。このように、吐出口７は、温水吐水装置１の適用対象に応じて変化する。
【００２６】
第１温水通路８には、温水切替弁５が設けられる。上述したように、第１温水通路８は、水加熱器２２と吐出口７とを連通するので、温水切替弁５は水加熱器２２の吐出口側に配置されて、水加熱器２２と吐出口７との間に設けられることになる。温水切替弁５は、制御装置１２によって動作が制御される。温水切替弁５は、１個の入口５ｉと２個の出口５ｅ１、５ｅ２とを有しており、入口５ｉは水加熱器２２側の第１温水通路８を介して、水加熱器２２の吐出口と連通している。出口５ｅ１は、吐出口７側の第１温水通路８を介して吐出口７と連通している。出口５ｅ２は、第２温水通路９と連通している。ここで、第２温水通路９は、温水切替弁５の出口５ｅ２と吐出口７とを連通しており、途中に温水タンク３が設けられる。つまり、第２温水通路９は、第１温水通路８をバイパスして、水加熱器２２の吐出口側と吐出口７とを連通することになる。また、温水タンク３は、吐出口７と連通している。
【００２７】
このように、温水切替弁５の一方の出口５ｅ１は吐出口７と連通しており、他方の出口５ｅ２は温水タンク３と連通しているので、温水切替弁５は、温水源２、すなわち水加熱器２２で生成されて入口５ｉへ流入する温水の供給先を、吐出口７あるいは温水タンク３のいずれか一方に切り替えることができる。例えば、温水切替弁５が、水加熱器２２から生成された温水の供給先を吐出口７にすると、水加熱器２２で生成された温水は直接吐出口７へ供給されて吐出される。また、温水切替弁５が、水加熱器２２で生成された温水の供給先を温水タンク３にすると、水加熱器２２で生成された温水は温水タンク３へ一時的に貯留される。
【００２８】
温水タンク３は、温水源２、すなわち水加熱器２２で生成された温水を貯留するものである。温水タンク３は、断熱構造を有する。温水タンク３は、下部に設けられた開口、すなわち温水タンク３の出口３ｅと吐出口７とは、第２温水通路９で連結されている。
ここで、断熱構造とは、温水タンク３の内部と外部との間に断熱要素を介在させた構造であり、例えば温水タンク３を外壁と内壁との２重構造として、外壁と内壁との間を真空としたり、温水タンク３の外壁面を断熱材、断熱塗料などの断熱層で覆ったりすることで形成される。従って、温水タンク３は、貯留された温水の温度低下を断熱構造でないタンクと比較して抑制することができる。温水タンク３の断熱構造は、ユーザーの温水の使用タイミングを考慮して、ユーザーの使用要求に応じた温度の温水をユーザーの温水の使用時間維持できる程度の保温性能を有するように設定されている。また、温水タンク３には、本実施形態では、逆止弁３１が設けられている。逆止弁３１は、水加熱器２２で生成された温水が温水切替弁５を介して温水タンク３に流入することのみを許容するものである。従って、温水タンク３は、密閉構造となる。ここでいう、密閉構造としては、例えば、ステンレス製の真空２重層構造がある。この場合は、４０℃の湯水を５００ｃｃ入れ、樹脂製の蓋で閉塞した場合に、温度低下が３時間で２〜３℃程度となる。
【００２９】
エアポンプ４は、吐出口７から吐出される温水に空気を混合するポンプであるとともに、温水タンク３に貯留された温水を吐出口７から吐出させるポンプである。エアポンプ４は、外部の空気を圧縮して吐出するものであり、吐出口、すなわちエアポンプ４の出口４ｅと吐出口７とは、第１エア通路１０で連結されている。
【００３０】
第１エア通路１０には、エア切替弁６が設けられる。上述したように、第１エア通路１０は、エアポンプ４と吐出口７とを連通するので、エア切替弁６はエアポンプ４の吐出口側に配置されて、エアポンプ４と吐出口７との間に設けられることになる。エア切替弁６は、制御装置１２によって動作が制御される。エア切替弁６は、１個の入口６ｉと２個の出口６ｅ１、６ｅ２とを有しており、入口６ｉはエアポンプ４側の第１エア通路１０を介して、エアポンプ４の吐出口と連通している。出口６ｅ１は、吐出口７側の第１エア通路１０を介して吐出口７と連通している。出口６ｅ２は、第２エア通路１１と連通している。ここで、第２エア通路１１は、エア切替弁６の出口６ｅ２と温水タンク３とを連通している。つまり、第２エア通路１１は、第１エア通路１０から分岐して、エアポンプ４の吐出口側と温水タンク３とを連通することになる。なお、第２エア通路１１は、温水タンク３の上部、例えば温水タンク３が満水となった場合の水位よりも上部で、温水タンク３の内部と連通している。
【００３１】
このように、エア切替弁６の一方の出口６ｅ１は吐出口７と連通しており、他方の出口６ｅ２は温水タンク３と連通しているので、エア切替弁６は、エアポンプ４で生成されて入口６ｉへ吐出されるエアの供給先を、吐出口７あるいは温水タンク３のいずれか一方に切り替えることができる。例えば、エア切替弁６が、エアポンプ４で生成されたエアの供給先を吐出口７にすると、エアポンプ４で生成されたエアは直接吐出口７へ供給されて吐出される。また、エア切替弁６が、エアポンプで生成されたエアの供給先を温水タンク３にすると、エアポンプ４で生成されたエアは温水タンク３に供給される。ここで、上述のように、温水タンク３は密閉構造のため、温水タンク３にエアが供給されると温水タンク３の内部の圧力が上昇する。従って、温水タンク３に温水が貯留されている状態で温水タンク３にエアが供給されると、温水タンク３内の温水は、第２温水通路９を介して吐出口７へ供給され吐出される。従って、エアポンプ４は、温水タンク３に貯留された温水を吐出口７から吐出させる機能と、吐出口７から吐出される温水にエアを混入させる機能と、を１つのポンプで実現することができる。これにより、２つの機能を２つのポンプで実現する場合と比較して、構成の簡略化することができるとともに、消費電力を大幅に低減させることができるので、環境負荷を大幅に低減させることができる。
【００３２】
また、エアポンプ４は、温水タンク３内に残った温水を排出する機能を有する。温水タンク３に貯留されている温水を排水する場合は、ユーザーによる使用要求がなくなった後に、エア切替弁６により、エアの供給先を温水タンク３とし、エアポンプ４を駆動させる。従って、温水タンク３内の温水は、第２エア通路１１を介して吐出口７から吐出されることで排出される。つまり、温水吐水装置１では、ユーザーの使用要求時に使用されなかった温水を排水し、ユーザーの新たな使用要求時に新たな温水を空の状態の温水タンクに貯留することができる。従って、ユーザーの使用要求に応じた温度よりも低下した温水が温水タンク３内に貯留されたまま、新たな温水が温水タンク３に貯留されることで温水タンク３に貯留された温水の温度が低下することを抑制できるので、ユーザーの使用時に、ユーザーの使用要求に応じた温度の温水を温水タンクに貯留でき、ユーザーの使用要求に応じた温度の温水を吐出口から吐出することができる。
【００３３】
制御装置１２は、例えば、ＭＣＵ（Micro Computer Unit）で構成されており、上述したように、水加熱器２２、通水弁２３、エアポンプ４、温水切替弁５、エア切替弁６の動作を制御する。温水吐水装置１は、使用者が操作盤１３を用いて動作させる。操作盤１３は制御装置１２と電気的に接続されている。そして、使用者が操作盤１３を用いて制御装置１２に操作指令を入力すると、制御装置１２は、上記制御対象の制御を行う。操作盤１３は、温水吐水装置１の吐出口７から温水を吐出させるための開始スイッチ１３１と、吐出口７からの温水の吐出を停止させるための停止スイッチ１３２と、吐出口７から吐出させる温水の流量を調整する流量調整スイッチ１３３とを有する。また、制御装置１２にはサーミスタ２９が電気的に接続されており、サーミスタ２９が取得した情報、すなわち、水加熱器２２が生成した温水の温度に基づいて、水加熱器２２の加熱量を制御する。
【００３４】
操作盤１３の流量調整スイッチ１３３によって、吐出口７から吐出する温水の流量を調整できる。温水タンク３内の温水を吐出口７から吐出させる場合、例えば、流量調整スイッチ１３３からの入力信号に応じて制御装置１２がエアポンプ４の吐出能力を調整することで、吐出口７から吐出する温水の流量を調整する。また、水加熱器２２で生成された温水を直接吐出口７から吐出させる場合、例えば、通水弁２３に流量調整機能を設けて、給水源から水加熱器２２へ供給される水の流量を調整することにより、吐出口７から吐出する温水の流量を調整してもよい。また、水加熱器２２自体に流量調整機能を設けたり、水加熱器２２が備える加熱通路２７の出口２７ｅの下流に流量調整弁を設けたりして、吐出口７から吐出する温水の流量を調整してもよい。
【００３５】
水加熱器２２は、加熱通路２７を水が通過する間に、温水吐水装置１の目標とする温度（目標温度：例えば、温水吐水装置１の仕様上要求される温度であり、４０℃程度）まで水を昇温させる。ここで、水加熱器２２のヒータ２８へ投入できる電力には制限があるので、ヒータ２８の発熱量には上限がある。このため、水加熱器２２が単位時間あたりに目標温度の温水を生成できる量（以下、温水流量という）には上限がある。このため、水加熱器２２で実現可能な温水流量を超えて目標温度の温水を吐出口７から吐出することはできず、水加熱器２２で実現可能な温水流量を超える場合には、目標温度よりも低い温度の温水となってしまう。
【００３６】
そこで、本実施形態では、温水吐水装置１が水加熱器２２と、温水タンク３と、エアポンプ４と、温水切替弁５とを備える。そして、ユーザーから温水の使用要求がある場合、すなわち、吐出口７から温水を吐出させる場合、温水吐水装置１の温水切替弁５は、水加熱器２２が生成する温水の供給先を温水タンク３として、水加熱器２２で生成された温水を温水タンク３に所定量貯留する。そして、所定量以上の温水が温水タンク３に貯留されたら、温水吐水装置１のエアポンプ４は、温水タンク３内の温水を吐出口７から吐出する。
【００３７】
このように、温水吐水装置１は、自身に対する使用要求がある場合、水加熱器２２で生成された温水を一旦温水タンク３に貯留してから、温水タンク３内の温水をエアポンプ４で吐出口７から吐出する。すなわち、温水吐水装置１は、バッファータンクとして機能する温水タンク３を有するので、温水タンク３が空になるまでは、水加熱器２２が実現可能な温水流量を超えた流量で目標温度の温水を吐出口７から吐出させることができる。これによって、温水吐水装置１は、吐出口７から吐出される温水の流量を十分に確保できるので、使用者は、快適な洗浄感を得られる。また、小流量から中流量まで温水の流量の調整範囲を広くできるので、温水吐水装置１の使用者の多様な要求に応えることもできる。
【００３８】
ここで、温水タンク３の容量を、温水吐水装置１を１回使用する場合に使用される温水の最大量としておけば、温水吐水装置１の１回の使用においては、必要十分な量の温水を吐出口７から吐出できると考えられる。なお、温水タンク３の容量は、例えば、温水吐水装置１の１回の使用で要求される最大の流量、および最大の使用時間に基づいて設定できる。
【００３９】
また、本実施形態においては、空の温水タンク３に温水が供給される前（あるいは、温水タンク３に所定量以上の温水が貯留される前）に吐出口７から温水を吐出させる場合、温水吐水装置１の温水切替弁５は、水加熱器２２が生成する温水の供給先を吐出口７とする。そして、温水吐水装置１は、水加熱器２２が生成した温水を直接吐出口７から吐出させる。これによって、水加熱器２２が実現可能な温水流量の範囲内で目標温度の温水を吐出口７から吐出させることができる。この場合、水加熱器２２が実現可能な温水流量を超えた流量で目標温度の温水を吐出口７から吐出させることはできないが、温水を吐出口７から吐出させる要求があった時点から実際に温水が吐出口７から吐出されるまでの遅れ時間を極小にすることができる。その結果、温水吐水装置１の使用者が受ける、待たされる感覚を低減できる。
【００４０】
従来の温水洗浄装置で広く用いられている温水タンク貯湯方式は、温水タンク内に貯留されている温水を所定の温度に保温するため、常時ヒータで温水を加熱しているので、ヒータの消費電力が増加する。この保温に要する電力は、温水タンク貯湯方式の温水洗浄装置で消費される全電力のおよそ８０％であり、残りのおよそ２０％が水を所定の温度まで昇温させることや温水の吐出等に必要な電力である。
【００４１】
本実施形態では、ユーザーから温水の使用要求があった場合にのみ水加熱器２２を動作させ、これによって生成され温水タンク３に貯留された温水をエアポンプ４で吐出口７から吐出、あるいは水加熱器２２によって生成された温水を直接吐出口７から吐出する。特に、温水タンク３は、断熱構造であるので、温水タンク３内の温水を一定温度に保持するためのヒータなどを必要とせずに、温水の保温が可能となる。このため、温水吐水装置１は、単なる温水タンク貯湯方式では必要になる保温のための電力が不要になる。その結果、温水吐水装置１は、温水タンク貯湯方式と比較して消費電力を大幅に低減させることができるので、環境負荷を大幅に低減させることができる。また、温水吐水装置１を設置する場所に、給湯設備がなくても、本実施形態に係る温水吐水装置１を使用することができる。
【００４２】
次に、本実施形態にかかる温水吐水装置の制御方法、すなわち動作について説明する。図２は、本実施形態に係る温水吐水装置が適用されたトイレの全体構成図である。図３は、本実施形態に係る温水吐水装置の制御の一例を示すフローチャートである。図４は、エアポンプの駆動と温水の吐出との関係を示す図である。図５は、温水タンクに設けられた水位検出センサを示す模式図である。なお、図５における（ａ）は開始スイッチ１３１に対応するタイムチャート、（ｂ）は停止スイッチ１３２に対応するタイムチャート、（ｃ）はエアポンプ４に対応するタイムチャート、（ｄ）は吐出口７から温水の吐出に対応するタイムチャートである。
【００４３】
本実施形態に係る温水吐水装置１は、図２に示すように、洋風便器１４の温水洗浄器に適用される。洋風便器１４は、上部に便座１５が設けられ、便座１５へのユーザーの着座を検出する着座センサ１６を備える。着座センサ１６を用いることにより、温水吐水装置１を、主として洋風便器で用いられる温水洗浄装置に適用する場合には、温水吐水装置１のユーザーを簡単に検知できるので、将来における使用要求を比較的簡単に予測できる。
【００４４】
着座センサ１６は、例えば、便座１５へ着座したユーザーを光学的に検出する方式のものを用いることができるが、これに限定されるものではない。本実施形態では、便座１５へトイレのユーザーが着座したことをもって温水吐水装置１の使用を予測し、図１に示す温水タンク３への温水の貯留を開始して、温水吐水装置１の使用に備える。本実施形態においては、着座センサ１６として、便座１５へ着座したユーザーを光学的に検出する方式のものを用い、便座１５へ着座した使用者を検出するとＯＮ信号を出力し、それ以外の場合はＯＦＦ信号を出力するものを用いる。なお、トイレのユーザーの着座を検出する手法はこれに限定されるものではない。例えば、トイレのユーザーの接近を検知して自動で便座１５や便座カバーを開閉する機構を利用して、人の接近があり、かつ便座カバーが開かれた場合には、便座１５へユーザーが着座したとみなしてもよい。
【００４５】
まず、図３に示すように、制御装置１２は、ユーザーが便座１５に着座したか否かを判断する（ステップＳＴ１）。ここでは、制御装置１２は、着座センサ１６からのＯＮ／ＯＦＦ信号を取得し、取得されたＯＮ／ＯＦＦ信号に基づいてユーザーが便座１５に着座したか否か判断することで、ユーザーの将来における使用要求を判断する。
【００４６】
次に、制御装置１２は、着座センサ１６からのＯＮ信号が検出され、着座ありと判断（ステップＳＴ１：Ｙｅｓ）、すなわちユーザーの将来における使用要求があると判断すると、通水弁２３を開いて水加熱器２２の加熱通路２７へ給水源から水を供給するとともに、水加熱器２２のヒータ２８へ通電を行い、水の加熱を実行する（ステップＳＴ２）。給水源２１から水加熱器２２へ供給された水は、加熱通路２７を通過する過程で加熱され、所定温度の温水が生成される。生成された温水は、加熱通路２７の出口２７ｅから流出する。ここで、本実施形態では、温水切替弁５は、初期状態においては水加熱器２２で生成された温水の供給先を温水タンク３としているので、水加熱器２２で生成された温水は、温水切替弁５を通過して温水タンク３に貯留される。なお、制御装置１２は、着座センサ１６からのＯＦＦ信号が検出され、着座なしと判断（ステップＳＴ１：Ｎｏ）、すなわちユーザーの将来における使用要求がない、例えば既にユーザーの使用終了後であると判断すると、ステップＳＴ１１に移行し、結果、本実施形態に係る温水吐水装置の制御を終了する。これによって、ユーザーの使用要求がないと予測できる場合には温水を生成しないので、無用な電力消費を抑制して、環境負荷を低減できる。ここで、ヒータへの通電は、空焚きを防止するため、通水弁２３を開いた後に行われることが好ましい。
【００４７】
次に、制御装置１２は、操作盤１３の開始スイッチ１３１がＯＮになったか否かを判断する（ステップＳＴ３）。ここでは、制御装置１２は、開始スイッチ１３１がＯＮになるか否かを判断することで、便座１５に着座したトイレのユーザーが、温水吐水装置１を使用して吐出口７（より具体的にはシャワーノズルに設けられる吐出口）から温水を吐出させる意思、すなわち使用要求があるのか否かを判断する。
【００４８】
次に、制御装置１２は、開始スイッチ１３１がＯＮになったと判断（ステップＳＴ３：Ｙｅｓ）すると、エアポンプ４を駆動させてエアポンプ４によりエアを生成するとともに、エア切替弁６を制御してエアポンプ４で生成されたエアの供給先を吐出口７に切り替える（ステップＳＴ４）。これにより、エアポンプ４からのエアは、吐出口７から吐出されることとなる。
【００４９】
次に、制御装置１２は、温水切替弁５を制御して水加熱器２２で生成された温水の供給先を吐出口７に切り替える（ステップＳＴ５）。これにより、水加熱器２２からの温水は、吐出口でエアが混入されて吐出されて、局部の洗浄が開始される。ここで、図５に示すように、温水吐水装置１は、開始スイッチ１３１がＯＮされると、エアポンプ４が駆動されて吐出口７からエアが吐出する状態で、水加熱器２２からの温水を直接吐出口７から吐出する。つまり、水加熱器２２からの温水を吐出口７から直接吐出させる場合は、エアが吐出されてから温水が吐出され、温水の吐出開始から温水にエアを混入させることができる。エアが混入されている温水を吐出口７から吐出させると、温水のみを吐出口７から吐出させる場合と比較して温水を勢いよく吐出させることができる。これにより、ユーザーの使用開始時から勢いよく温水を吐出させることができるので、実際の流量以上の流量の温水が吐出口７から吐出されているようにユーザーに感じさせることができる。
【００５０】
次に、制御装置１２は、図３に示すように、操作盤１３の停止スイッチ１３２がＯＮになったか否かを判断する（ステップＳＴ６）。ここでは、制御装置１２は、停止スイッチ１３２がＯＮになるか否かを判断することで、局部の洗浄を開始したユーザーが、吐出口７から吐出している温水を停止する意思、すなわち使用要求がなくなったか否かを判断する。
【００５１】
次に、制御装置１２は、停止スイッチ１３２がＯＮになったと判断（ステップＳＴ６：Ｙｅｓ）すると、温水切替弁５を制御して水加熱器２２で生成された温水の供給先を温水タンク３に切り替える（ステップＳＴ７）。ここでは、制御装置１２は、局部の洗浄を開始したユーザーの使用要求がなくなったと判断すると、局部の洗浄を終了する。このとき、水加熱器２２からの温水は、温水切替弁５を通過して温水タンク３に貯留される。なお、制御装置１２は、停止スイッチ１３２がＯＮとなっていないと判断（ステップＳＴ６：Ｎｏ）すると、停止スイッチ１３２がＯＮとなるまでステップＳＴ６を繰り返す。ここでは、制御装置１２は、局部の洗浄を開始したユーザーの使用要求がなくなったと判断されるまでは、水加熱器２２からの温水を吐出口７から直接吐出し続け、局部の洗浄を維持する。
【００５２】
次に、制御装置１２は、エアポンプ４を停止させてエアポンプ４によるエアの生成を停止するとともに、エア切替弁６を制御してエアポンプ４で生成されたエアの供給先を温水タンク３に切り替える（ステップＳＴ８）。これにより、エアポンプ４が駆動することで、エアポンプ４で生成されたエアが温水タンク３に供給されることとなる。ここで、図５に示すように、温水吐水装置１は、停止スイッチ１３２がＯＮされると、水加熱器２２からの温水を直接吐出口７から吐出することを終了してから、エアポンプ４の駆動を停止する。つまり、水加熱器２２からの温水を吐出口７から直接吐出させることを終了させる場合は、温水が吐出するのを終了してからエアが吐出するのを終了し、温水の吐出終了まで温水にエアを混入させることができる。従って、温水の吐出終了後においてもエアは、吐出口７から吐出されるので、少なくとも吐出口７の近傍の温水、例えば吐出口７に残留している温水は、エアとともに吐出口７から強制的に吐出されることとなる。これにより、ユーザーの使用終了後に吐出口７から温水が漏れることを抑制することができる。
【００５３】
次に、制御装置１２は、図３に示すように、ユーザーが便座１５に着座したか否かを判断する（ステップＳＴ９）。ここでは、制御装置１２は、局部の洗浄を終了したユーザーが便座１５から離れた否かを判断することで、ユーザーの将来における再度の使用要求を判断する。
【００５４】
次に、制御装置１２は、着座なしと判断（ステップＳＴ９：Ｎｏ）、すなわちユーザーの将来における再度の使用要求がないと判断すると、通水弁２３を閉じて給水源からの水を水加熱器２２の加熱通路２７に供給することを停止するとともに、水加熱器２２のヒータ２８へ通電を終了し、水の加熱を停止し（ステップＳＴ１０）、ステップＳＴ１１に移行する。ここでは、制御装置１２は、ユーザーの将来における再度の使用要求がないと判断すると、水加熱器２２による温水の生成を終了する。なお、着座ありと判断（ステップＳＴ９：Ｙｅｓ）、すなわちユーザーの将来における再度の使用要求があると判断すると、ステップＳＴ３を繰り返す。
【００５５】
また、制御装置１２は、開始スイッチ１３１がＯＮになっていないと判断（ステップＳＴ３：Ｎｏ）すると、温水タンク３が満水となったか否かを判断する（ステップＳＴ１３）。ここでは、制御装置１２は、図４に示すように、所定量（本実施形態では満水）の温水に対応する高水位Ｌｍａｘに、温水タンク３内の温水が到達した否かを高水位センサ１８がＯＮとなるか否かで判断する。なお、高水位センサ１８を用いない場合は、水加熱器２２が実現可能な温水流量は予め分かっているので、温水タンク３へ温水が流入した時間に温水流量を乗ずることで、温水タンク３へ温水が流入した時間における温水タンク３に貯留された温水の量を求めることができる。この量が所定量以上である場合に、所定量以上の温水が温水タンク３内に貯留されていると判定することもできる。
【００５６】
次に、制御装置１２は、温水タンク３が満水となった判断（ステップＳＴ１３：Ｙｅｓ）すると、通水弁２３を閉じて給水源からの水を水加熱器２２の加熱通路２７に供給することを停止するとともに、水加熱器２２のヒータ２８への通電を終了し、水の加熱を停止する（ステップＳＴ１４）。ここでは、制御装置１２は、ユーザーの将来における使用要求に応じることができる所定量の温水を温水タンク３により貯留することができたと判断すると、水加熱器２２による温水の生成を終了する。なお、制御装置１２は、温水タンク３が満水となっていないと判断（ステップＳＴ１３：Ｎｏ）すると、ステップＳＴ２６に移行する。
【００５７】
次に、制御装置１２は、操作盤１３の開始スイッチ１３１がＯＮになったか否かを判断する（ステップＳＴ１５）。ここでは、制御装置１２は、開始スイッチ１３１がＯＮになるか否かを判断することで、ステップＳＴ３と同様に、ユーザーの使用要求があるのか否かを判断する。
【００５８】
次に、制御装置１２は、開始スイッチ１３１がＯＮになったと判断（ステップＳＴ１５：Ｙｅｓ）すると、エアポンプ４を駆動させてエアポンプ４によりエアを生成する（ステップＳＴ１６）。ここで、本実施形態では、エア切替弁６は、初期状態においてはエアポンプで生成されたエアの供給先を温水タンク３としているので、エアポンプ４で生成された温水は、エア切替弁６を通過して温水タンク３に供給される。これにより、温水タンク３内の温水は、エアにより吐出口７から吐出されることとなる。なお、制御装置１２は、開始スイッチ１３１がＯＮとなっていないと判断（ステップＳＴ１５：Ｎｏ）すると、ステップＳＴ２６に移行する。
【００５９】
次に、制御装置１２は、温水タンク３が空となったか否かを判断する（ステップＳＴ１７）。ここでは、制御装置１２は、図４に示すように、限界量（本実施形態では空）の温水に対応する低水位Ｌｍｉｎに、温水タンク３内の温水が減ったか否かを低水位センサ１７がＯＦＦとなるか否かで判断する。なお、低水位センサ１７を用いない場合は、温水タンク３が実現可能なタンク吐出流量は予め分かっているので、温水タンク３から温水が流出した時間にタンク吐出流量を乗ずることで、温水タンク３から温水が流出した時間における温水タンク３に貯留された温水の減少量を求めることができる。この量が限界量未満である場合に、限界量未満まで温水タンク３内の温水が使用されたと判定することもできる。限界量とは、ユーザーの使用要求に応じた流量をエアポンプ４からエアにより温水タンク３の温水を吐出口７から吐出できる量をいう。
【００６０】
次に、制御装置１２は、温水タンク３が空となっていないと判断（ステップＳＴ１７：Ｎｏ）すると、停止スイッチ１３２がＯＮになったか否かを判断する（ステップＳＴ１８）。ここでは、制御装置１２は、停止スイッチ１３２がＯＮになるか否かを判断することで、ステップＳＴ６と同様に、ユーザーの使用要求がなくなったか否かを判断する。
【００６１】
次に、制御装置１２は、停止スイッチ１３２がＯＮになったと判断（ステップＳＴ１８：Ｙｅｓ）すると、エアポンプ４を停止させてエアポンプ４によるエアの生成を停止し（ステップＳＴ１９）、ステップＳＴ２６に移行する。なお、制御装置１２は、停止スイッチ１３２がＯＮとなっていないと判断（ステップＳＴ１８：Ｎｏ）すると、停止スイッチ１３２がＯＮとなるまでステップＳＴ１７を繰り返す。ここでは、制御装置１２は、局部の洗浄を開始したユーザーの使用要求がなくなったと判断されるまでは、温水タンク３からの温水を吐出口７から吐出し続け、局部の洗浄を維持する。
【００６２】
また、制御装置１２は、温水タンク３が空となったと判断（ステップＳＴ１７：Ｙｅｓ）すると、再度、通水弁２３を開いて水加熱器２２の加熱通路２７へ給水源から水を供給するとともに、水加熱器２２のヒータ２８へ通電を行い、水の加熱を実行する（ステップＳＴ２０）。ここでは、制御装置１２は、局部の洗浄を開始したユーザーの使用要求がある状態で、温水タンク３内の温水がなくなったと判断した場合は、水加熱器２２で生成された温水を吐出口７から直接吐出するために、水加熱器２２による温水の生成を開始する。
【００６３】
次に、エア切替弁６を制御してエアポンプ４で生成されたエアの供給先を吐出口７に切り替える（ステップＳＴ２１）。ここで、エアポンプ４は駆動した状態であるので、エアポンプ４からのエアは、吐出口７から吐出されることとなる。
【００６４】
次に、制御装置１２は、温水切替弁５を制御して水加熱器２２で生成された温水の供給先を吐出口７に切り替える（ステップＳＴ２２）。これにより、水加熱器２２からの温水は、吐出口７でエアが混入されて吐出されるので、温水タンク３内の温水がなくなっても、局部の洗浄を維持することができる。
【００６５】
次に、制御装置１２は、停止スイッチ１３２がＯＮになったか否かを判断する（ステップＳＴ２３）。ここでは、制御装置１２は、停止スイッチ１３２がＯＮになるか否かを判断することで、ステップＳＴ６と同様に、ユーザーの使用要求がなくなったか否かを判断する。
【００６６】
次に、制御装置１２は、停止スイッチ１３２がＯＮになったと判断（ステップＳＴ２３：Ｙｅｓ）すると、温水切替弁５を制御して水加熱器２２で生成された温水の供給先を温水タンク３に切り替える（ステップＳＴ２４）。ここでは、制御装置１２は、局部の洗浄を開始したユーザーの使用要求がなくなったと判断すると、局部の洗浄を終了する。このとき、水加熱器２２からの温水は、温水切替弁５を通過して空になった温水タンク３に貯留される。なお、制御装置１２は、停止スイッチ１３２がＯＮとなっていないと判断（ステップＳＴ２３：Ｎｏ）すると、停止スイッチ１３２がＯＮとなるまでステップＳＴ２３を繰り返す。ここでは、制御装置１２は、局部の洗浄を開始したユーザーの使用要求がなくなったと判断されるまでは、水加熱器２２からの温水を吐出口７から直接吐出し続け、局部の洗浄を維持する。
【００６７】
次に、制御装置１２は、エアポンプ４を停止させてエアポンプ４によるエアの生成を停止するとともに、エア切替弁６を制御してエアポンプ４で生成されたエアの供給先を温水タンク３に切り替える（ステップＳＴ２５）。従って、ユーザーの使用終了後に吐出口７から温水が漏れることを抑制することができる。
【００６８】
次に、制御装置１２は、ユーザーが便座１５に着座したか否かを判断する（ステップＳＴ２６）。ここでは、制御装置１２は、局部の洗浄を終了したユーザーが便座１５から離れたか否かを判断することで、ユーザーの将来における再度の使用要求を判断する。
【００６９】
次に、制御装置１２は、着座なしと判断（ステップＳＴ２６：Ｎｏ）すると、通水弁２３を閉じ、水加熱器２２のヒータ２８へ通電を終了し、水の加熱を停止し（ステップＳＴ１０）、ステップＳＴ１１に移行する。ここでは、制御装置１２は、ユーザーの将来における再度の使用要求がないと判断すると、水加熱器２２による温水の生成を終了する。なお、着座ありと判断（ステップＳＴ２６：Ｙｅｓ）、すなわちユーザーの将来における再度の使用要求があると判断すると、ステップＳＴ１３を繰り返す。
【００７０】
次に、制御装置１２は、吐出口７からの温水の吐出を停止させてから所定時間が経過したか否かを判断する（ステップＳＴ１１）。この所定時間は、例えば、温水タンク３内の温水の温度が、温水吐水装置１の仕様上許容できない温度まで低下する時間とすることができる。
【００７１】
次に、制御装置１２は、所定時間が経過したと判断する（ステップＳＴ１１：Ｙｅｓ）と、エアポンプ４を駆動して、温水タンク３内の温水を吐出口７から排水する（ステップＳＴ１２）。ここでは、制御装置１２は、エアポンプ４を所定の時間駆動した後停止し、次の使用に備える。所定の時間は、温水タンク３内の温水がエアポンプ４からのエアですべて排出できる時間であり、例えば、満水状態の温水タンク３を空にできる時間とする。なお、制御装置１２は、所定時間が経過していないと判断する（ステップＳＴ１１：Ｎｏ）と、ステップＳＴ１に移行する。この場合、温水タンク３に温水が残留していると、そのままの状態が維持される。これによって、所定時間が経過する前に温水吐水装置１が使用される場合には、温水タンク３に所定量以上の温水が貯留されるまでの時間を短縮できる。
【００７２】
なお、本実施形態では、温水吐水装置１を温水洗浄装置として使用する場合について説明したが本発明はこれに限定されるものではない。洗面台に手洗い装置として本実施形態の温水吐水装置１を使用しても良い。この場合は、洗面台の前にユーザーが立つ、あるいは洗面台が設置されているスペースにユーザーが入ることを光などが検出手段である対人センサにより検出することで、ユーザーの将来の使用要求を判断する。また、手洗い装置として温水吐水装置１を使用する場合は、通常時に、水加熱器２２で生成された温水を吐出口７から直接吐出させ、例えば予め設けられているスイッチをユーザーがＯＮとすることで、ユーザーの将来の使用要求があると判断してからユーザーの使用要求があるまでに温水タンク３に貯留された温水を吐出口７から吐出するようにしても良い。水加熱器２２で生成された温水を吐出口７から直接吐出させる際には、開始スイッチ１３１がＯＮとなるとエアポンプ４を駆動した後に、通水弁２３の開き、停止スイッチ１３２がＯＮとなると通水弁２３を閉じた後、エアポンプ４の駆動を停止する。また、単に、例えば予め設けられているスイッチをユーザーがＯＮとすることで、温水タンク３に温水を貯留し、貯留後にユーザーの使用要求があると、温水タンク３に貯留された温水を吐出口７から吐出するようにしても良い。
【００７３】
なお、本実施形態では、吐出口７から温水タンク３内の温水を排水するが、排水弁を設け、排水弁を開くことで温水タンク３内の温水を排水しても良い。
【産業上の利用可能性】
【００７４】
以上のように、本発明は、温水源からの温水を吐出口から吐出する温水吐水装置に有用である。
【符号の説明】
【００７５】
１      温水吐水装置
２      温水源
２１    給水源
２２    水加熱器
２３    通水弁
３      温水タンク
４      エアポンプ
５      温水切替弁
６      エア切替弁
７      吐出口
８      第１温水通路
９      第２温水通路
１０    第１エア通路
１１    第２エア通路
１２    制御装置
１３    操作盤
１３１  開始スイッチ
１３２  停止スイッチ
１４    洋風便器
１５    便座
１６    着座センサ
【図１】
0005537188.tif 000002
【図２】
0005537188.tif 000003
【図３】
0005537188.tif 000004
【図４】
0005537188.tif 000005
【図５】
0005537188.tif 000006